【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
遊技状態に応じて演出動作を行う演出動作装置を備える遊技機において、
前記演出動作装置は、
前記遊技機の一部に固定されるベース部材と、
第１駆動軸を有し、前記ベース部材に対して回動可能に配設される第１可動部材と、
第２駆動軸を有し、前記ベース部材に対して回動可能に配設される第２可動部材と、
前記第１駆動軸を駆動して前記第１可動部材を回動させるとともに、前記第２駆動軸を駆動して前記第２可動部材を回動させる駆動装置と、
初期位置にある前記第１可動部材及び前記第２可動部材が視認されないように前記第１可動部材及び前記第２可動部材を隠蔽する隠蔽部材と、を備え、
前記ベース部材は、前記第１可動部材及び前記第２可動部材を回動可能に支持する軸部と、前記第１駆動軸が挿通する第１ガイド溝と、前記第２駆動軸が挿通する第２ガイド溝と、を有し、
前記駆動装置は、前記第１駆動軸を前記第１ガイド溝に沿って移動させる第１駆動装置及び前記第２駆動軸を前記第２ガイド溝に沿って移動させる第２駆動装置を備え、視認可能な所定位置で前記第１可動部材と前記第２可動部材とが一体となって一つの装飾部材を構成するように、初期位置にある前記第１可動部材と前記第２可動部材とを近接方向に回動させることを特徴とする遊技機。
【請求項２】
前記第１駆動装置は、
第１出力軸を有する第１モータと、
前記第１出力軸と前記第１駆動軸を連結し、前記第１出力軸の回動力に基づいて前記第１駆動軸を前記第１ガイド溝に沿って移動させる第１リンク機構と、を備え、
前記第２駆動装置は、
第２出力軸を有する第２モータと、
前記第２出力軸と前記第２駆動軸を連結し、前記第２出力軸の回動力に基づいて前記第２駆動軸を前記第２ガイド溝に沿って移動させる第２リンク機構と、を備えることを特徴とする請求項１に記載の遊技機。
【請求項３】
前記第１可動部材は、初期位置にある時に遊技盤中央に向かって発光する第１発光部を備え、
前記第２可動部材は、初期位置にある時に遊技盤中央に向かって発光する第２発光部を備えることを特徴とする請求項２に記載の遊技機。
【請求項４】
前記駆動装置は、一体となった前記第１可動部材と前記第２可動部材が同期して、同一方向に回動した後に逆方向に回動するように、前記第１駆動軸及び前記第２駆動軸を駆動することを特徴とする請求項３に記載の遊技機。
【請求項５】
前記演出動作装置の後方に、複数の識別情報を変動表示する変動表示ゲームを表示可能な表示部を有する変動表示装置をさらに備え、
前記変動表示装置は、前記駆動機構が一体となった前記第１可動部材と前記第２可動部材を離間方向に回動させた時に、前記第１可動部材と前記第２可動部材との隙間において遊技状態に応じた演出表示を行うことを特徴とする請求項４に記載の遊技機。
【請求項６】
前記隠蔽部材は、前面に配設される可動装飾部と、裏面外側位置に配設され前記可動装飾部を駆動する駆動装置とを備える演出装置であって、遊技盤中央から離れるほど前記隠蔽部材と前記演出動作装置との間隔が広くなるように傾斜して配置されることを特徴とする請求項５に記載の遊技機。
【請求項７】
遊技盤の遊技領域に配設され、前面に開口部を有する包囲枠体をさらに備え、
前記包囲枠体には、前記ベース部材が固定されるとともに、前記演出動作装置とは異なる複数の演出動作装置が設けられることを特徴とする請求項１〜請求項６のいずれか１つに記載の遊技機。
【手続補正２】
【補正対象書類名】明細書
【補正対象項目名】０００９
【補正方法】変更
【補正の内容】
【０００９】
第１の発明は、遊技状態に応じて演出動作を行う演出動作装置を備える遊技機において、前記演出動作装置は、前記遊技機の一部に固定されるベース部材と、第１駆動軸を有し、前記ベース部材に対して回動可能に配設される第１可動部材と、第２駆動軸を有し、前記ベース部材に対して回動可能に配設される第２可動部材と、前記第１駆動軸を駆動して前記第１可動部材を回動させるとともに、前記第２駆動軸を駆動して前記第２可動部材を回動させる駆動装置と、初期位置にある前記第１可動部材及び前記第２可動部材が視認されないように前記第１可動部材及び前記第２可動部材を隠蔽する隠蔽部材と、を備え、前記ベース部材は、前記第１可動部材及び前記第２可動部材を回動可能に支持する軸部と、前記第１駆動軸が挿通する第１ガイド溝と、前記第２駆動軸が挿通する第２ガイド溝と、を有し、前記駆動装置は、前記第１駆動軸を前記第１ガイド溝に沿って移動させる第１駆動装置及び前記第２駆動軸を前記第２ガイド溝に沿って移動させる第２駆動装置を備え、視認可能な所定位置で前記第１可動部材と前記第２可動部材とが一体となって一つの装飾部材を構成するように、初期位置にある前記第１可動部材と前記第２可動部材とを近接方向に回動させることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
第２の発明は、前記第１駆動装置は、第１出力軸を有する第１モータと、前記第１出力軸と前記第１駆動軸を連結し、前記第１出力軸の回動力に基づいて前記第１駆動軸を前記第１ガイド溝に沿って移動させる第１リンク機構と、を備え、前記第２駆動装置は、第２出力軸を有する第２モータと、前記第２出力軸と前記第２駆動軸を連結し、前記第２出力軸の回動力に基づいて前記第２駆動軸を前記第２ガイド溝に沿って移動させる第２リンク機構と、を備えることを特徴とする。
【手続補正５】
【補正対象書類名】明細書
【補正対象項目名】００１２
【補正方法】変更
【補正の内容】
【００１２】
第３の発明は、前記第１可動部材は、初期位置にある時に遊技盤中央に向かって発光する第１発光部を備え、前記第２可動部材は、初期位置にある時に遊技盤中央に向かって発光する第２発光部を備えることを特徴とする。
【手続補正６】
【補正対象書類名】明細書
【補正対象項目名】００１３
【補正方法】変更
【補正の内容】
【００１３】
第４の発明は、前記駆動装置は、一体となった前記第１可動部材と前記第２可動部材が同期して、同一方向に回動した後に逆方向に回動するように、前記第１駆動軸及び前記第２駆動軸を駆動することを特徴とする。
【手続補正７】
【補正対象書類名】明細書
【補正対象項目名】００１４
【補正方法】変更
【補正の内容】
【００１４】
第５の発明は、前記演出動作装置の後方に、複数の識別情報を変動表示する変動表示ゲームを表示可能な表示部を有する変動表示装置をさらに備え、前記変動表示装置は、前記駆動機構が一体となった前記第１可動部材と前記第２可動部材を離間方向に回動させた時に、前記第１可動部材と前記第２可動部材との隙間において遊技状態に応じた演出表示を行うことを特徴とする。
【手続補正８】
【補正対象書類名】明細書
【補正対象項目名】００１５
【補正方法】変更
【補正の内容】
【００１５】
第６の発明は、前記隠蔽部材は、前面に配設される可動装飾部と、裏面外側位置に配設され前記可動装飾部を駆動する駆動装置とを備える演出装置であって、遊技盤中央から離れるほど前記隠蔽部材と前記演出動作装置との間隔が広くなるように傾斜して配置されることを特徴とする。
【手続補正９】
【補正対象書類名】明細書
【補正対象項目名】００１６
【補正方法】変更
【補正の内容】
【００１６】
第７の発明は、遊技盤の遊技領域に配設され、前面に開口部を有する包囲枠体をさらに備え、前記包囲枠体には、前記ベース部材が固定されるとともに、前記演出動作装置とは異なる複数の演出動作装置が設けられることを特徴とする。
【手続補正１０】
【補正対象書類名】明細書
【補正対象項目名】００１８
【補正方法】変更
【補正の内容】
【００１８】
また、第１駆動装置が第１駆動軸を第１ガイド溝に沿って移動させることで第１可動部材を回動させ、第２駆動装置が第２駆動軸を第２ガイド溝に沿って移動させることで第２可動部材を回動させるので、比較的簡素な構成で、第１可動部材及び第２可動部材による意外性ある演出動作が実現可能となる。
【手続補正１１】
【補正対象書類名】明細書
【補正対象項目名】００１９
【補正方法】変更
【補正の内容】
【００１９】
第２の発明によれば、第１モータの第１出力軸の回動力に基づき第１リンク機構を介して第１駆動軸を第１ガイド溝に沿って移動させて、第１可動部材を回動させるとともに、第２モータの第２出力軸の回動力に基づき第２リンク機構を介して第２駆動軸を第２ガイド溝に沿って移動させて、第２可動部材を回動させるので、比較的簡素な構成で、第１可動部材及び第２可動部材による意外性ある演出動作が実現可能となる。
【手続補正１２】
【補正対象書類名】明細書
【補正対象項目名】００２０
【補正方法】変更
【補正の内容】
【００２０】
第３の発明によれば、第１可動部材は初期位置にある時に遊技盤中央に向かって発光する第１発光部を備え、第２可動部材は初期位置にある時に遊技盤中央に向かって発光する第２発光部を備え、初期位置において発光演出を行うことができるので、遊技の興趣をさらに向上させることが可能となる。
【手続補正１３】
【補正対象書類名】明細書
【補正対象項目名】００２１
【補正方法】変更
【補正の内容】
【００２１】
第４の発明によれば、一体となった第１可動部材と第２可動部材は同期して、同一方向に回動した後に逆方向に回動するので、第１可動部材及び第２可動部材の演出動作が一様になるのを抑制することができる。したがって、遊技に意外性を持たせることが可能となり、遊技の興趣をさらに向上させることが可能となる。
【手続補正１４】
【補正対象書類名】明細書
【補正対象項目名】００２２
【補正方法】変更
【補正の内容】
【００２２】
第５の発明によれば、一体となった第１可動部材と第２可動部材は離間方向に回動し、変動表示装置は第１可動部材と第２可動部材の隙間において遊技状態に応じた演出表示を行う。このように第１可動部材及び第２可動部材による動作演出と変動表示装置による演出表示とを関連させることで、遊技の意外性を高めることができ、遊技の興趣をさらに向上させることが可能となる。
【手続補正１５】
【補正対象書類名】明細書
【補正対象項目名】００２３
【補正方法】変更
【補正の内容】
【００２３】
第６の発明によれば、遊技盤中央から離れるほど隠蔽部材と演出動作装置との間隔が広くなるように隠蔽部材を傾斜して配置するので、演出動作装置の前方の空間を広げることができ、演出動作装置の駆動装置の一部と隠蔽部材の駆動装置等が干渉するのを回避することが可能となる。
【手続補正１６】
【補正対象書類名】明細書
【補正対象項目名】００２４
【補正方法】変更
【補正の内容】
【００２４】
第７の発明によれば、遊技機は、第１可動部材及び第２可動部材を有する演出動作装置の他に、複数の演出動作装置を備えるので、遊技の興趣をより高めることが可能となる。